(57)【要約】【課題】突き上げ階および突き下げ階がともにないダブルデッキエレベーターのシングル運転モードで最上階および最下階へサービス可能なエレベーターの群管理制御装置の提供。【解決手段】エレベーターの群管理制御装置は、かごが上下に連結された複数のかご対を備えたダブルデッキエレベーターを一方のかごを閉鎖されたかご対をシングル運転モードで制御するエレベーターの群管理制御装置において、少なくとも１台のかご対が他のかご対と異なった側のかごを閉鎖するよう各かご対の閉鎖かごを決定する閉鎖かご決定手段と、最下階および最上階からの乗場呼びを除いて、ＵＰ乗場呼びに対して下かご閉鎖かご対を、ＤＮ乗場呼びに対して上かご閉鎖かご対を割り当てる割当制御手段を備えている。【選択図】        図２
2004161428.tif 000002
【特許請求の範囲】
【請求項１】
かごを上下に連結し、一方のかごを閉鎖した複数のかご対が備えられたダブルデッキエレベーターを、シングル運転モードで運転するとき、エレベーターを管理制御するエレベーターの群管理制御装置において、少なくとも１台のかご対が他のかご対と異なった側のかごを閉鎖するよう各かご対の閉鎖かごを決定する閉鎖かご決定手段と、最下階および最上階からの乗場呼びを除いて、ＵＰ乗場呼びに対して下かご閉鎖かご対を、ＤＮ乗場呼びに対して上かご閉鎖かご対を割り当てる割当制御手段を備えたことを特徴とするエレベーターの群管理制御装置。
【請求項２】
上記閉鎖かご決定手段で同じ側のかごが閉鎖されたかご対は、上記複数のかご対の約半分であることを特徴とする請求項１に記載のエレベーターの群管理制御装置。
【請求項３】
上記割当制御手段が、最上階からの乗場呼びに対して下かご閉鎖かご対を割り当てるとともに、最下階からの乗場呼びに対して上かご閉鎖かご対を割り当てることを特徴とする請求項１または２のいずれか一項に記載のエレベーターの群管理制御装置。
【発明の詳細な説明】
【０００１】
【発明の属する技術分野】
この発明は、複数のかごが上下に連結されたダブルデッキエレベーターの群管理制御装置に関し、特にシングル運転モードでのダブルデッキエレベーターの群管理制御装置に関する。
【０００２】
【従来の技術】
複数のかごが上下に連結されたダブルデッキエレベーターの運転パターンには、上かごは偶数階、下かごは奇数階（あるいはその逆）にサービス階を制約するダブル運転モード、上下のかごとも各階に自由にサービスできるセミダブル運転モード、上下のかごの片方を閉鎖して一方のかごのみを用いてサービスするシングル運転モードがある。シングル運転モードではエレベーターの上昇時に上かご閉鎖かご対を、下降時には下かご閉鎖かご対を乗場呼びに応答させるエレベーターの運転制御装置がある（例えば、特許文献１参照。）。
【０００３】
また、上下かごの仕様、装備、性能または意匠の何れか少なくとも１つの違いにより閉鎖するかごを選択して運転する。あるいは、上下かごの傷み具合が同程度になるように、使用頻度や時間帯等によって上下かごの利用を切り換えて運転するエレベーターの運行制御装置がある（例えば、特許文献２参照。）。
【０００４】
【特許文献１】
特開昭４８−２３１４８号公報  （第１２頁）
【特許文献２】
特開２００１−８０８３０号公報  （請求項２）
【０００５】
【発明が解決しようとする課題】
上述のようなダブルデッキエレベーターのシングル運転モードにおいて、突き上げ階および突き下げ階が設けられていないと、上かご閉鎖かご対はシングル運転モードでは最上階へ、下かご閉鎖かご対はシングル運転モードでは最下階へのサービスが出来ない。この場合には、最上階、最下階へは階段やエスカレータを用いている。
【０００６】
この発明の目的は、突き上げ階および突き下げ階がともにないダブルデッキエレベーターのシングル運転モードで最上階および最下階へサービス可能なエレベーターの群管理制御装置を得ることである。
【０００７】
【課題を解決するための手段】
この発明に係わるエレベーターの群管理制御装置は、かごを上下に連結し、一方のかごを閉鎖した複数のかご対が備えられたダブルデッキエレベーターを、シングル運転モードで運転するとき、エレベーターを管理制御するエレベーターの群管理制御装置において、少なくとも１台のかご対が他のかご対と異なった側のかごを閉鎖するよう各かご対の閉鎖かごを決定する閉鎖かご決定手段と、最下階および最上階からの乗場呼びを除いて、ＵＰ乗場呼びに対して下かご閉鎖かご対を、ＤＮ乗場呼びに対して上かご閉鎖かご対を割り当てる割当制御手段を備えている。
【０００８】
【発明の実施の形態】
実施の形態１．
図１はこの発明の実施の形態１のエレベーターの群管理制御装置を備えたエレベーターの全体構成図である。図２は図１のエレベーターの群管理制御装置の機能図である。図３は図２の群管理制御のフローチャートである。
【０００９】
図１に示すように、ダブルデッキエレベーターは、上下にかご１が連結されて昇降する複数のかご対２と、各乗場に備えられ、乗場呼びの信号を送出する乗場釦３と、複数のかご対２を１つの群として運転モードを切換える運転モード切換スイッチ４と、かご対２を乗場呼びに対応して管理制御するエレベーターの群管理制御装置５とを備えている。
【００１０】
エレベーターの群管理制御装置５は、乗場釦３から送られた乗場呼びの信号を登録する乗場呼び登録手段６と、運転モード切換スイッチ４から送られた信号をもとに運転モードを決定する運転モード決定手段７と、運転モード決定手段７でシングル運転モードと決定されたときに、上方のかごの扉が閉じられた上かご閉鎖かご対２ａ、下方のかごの扉が閉じられた下かご閉鎖かご対２ｂのどちらかのかごの扉の閉鎖を決定する閉鎖かご決定手段８と、乗場呼び登録手段６で登録された乗場呼びに向かうかごを割り当てる割当制御手段９とを備えている。
【００１１】
乗場呼び登録手段６と運転モード決定手段７と閉鎖かご決定手段８と割当制御手段９はマイクロコンピュータ１０を用いて構成している。
マイクロコンピュータ１０に、中央処理装置（ＣＰＵ）１１と、プログラムおよびデータを格納する記憶装置１２と、入出力の信号のレベルを変換する変換装置１３とを備えている。変換装置１３に乗場釦３、運転モード切換スイッチ４からの信号が入力され、複数のかご対２にも接続されている。
【００１２】
最下階および最上階を除く階に備えられた乗場釦３は、その乗場より上方階へサービスを希望するＵＰ乗場釦３ａと、その乗場より下方階へサービスを希望するＤＮ乗場釦３ｂとの組になっている。ＵＰ乗場釦３ａまたはＤＮ乗場呼び釦３ｂが押されると、それぞれＵＰ乗場呼び（現在乗場釦３を押されている乗場より上の階へのサービスを要望している際の呼び出し。）またはＤＮ乗場呼び（現在乗場釦３を押されている乗場より下の階へのサービスを要望している際の呼び出し。）が乗場呼び登録手段６へ送られる。さらに、最下階にＵＰ乗場釦３ａが、最上階にＤＮ乗場釦３ｂが備えられ、最下階からはＵＰ乗場呼びが、最上階からはＤＮ乗場呼びが乗場呼び登録手段６へ入力される。
【００１３】
乗場呼び登録手段６では、これらの入力に基づいて乗場呼びの発せられた階数と、上方階または下方階へのサービス方向の情報に変換し、割当制御手段９へ送られる。
【００１４】
運転モード切換スイッチ４は３つのモードを設定できるような切換スイッチからなっている。
【００１５】
閉鎖かご決定手段８は、乗場の配置でモザイク状になるようにかごの扉を閉鎖する上下のかごを選択して決定し、変換装置１３の出力端子からかご対２の図示しない制御部へ送信され、かご対２の閉鎖するかごの扉が閉鎖される。同時に照明などが切られる。
【００１６】
割当制御手段９に、運転モード決定手段７からシングル運転モードの信号と、閉鎖かご決定手段８から閉鎖されているかご対２の識別情報とが入力されている。さらに乗場呼び登録手段６から送られた乗場呼びの発せられた階数と、上方階または下方階へのサービス方向の情報と、閉鎖されているかご対２の識別情報とを処理して、乗場呼びに対応するかご対２を割り当てる。
【００１７】
図３に示すようにステップ１（以下ステップをＳと略記する。）で運転モード切換スイッチ４が切り換えられ、Ｓ２では運転モード切換スイッチ４の状態がシングル運転モードになっているかどうか判定する。シングル運転モードでなければ、割当制御手段９はＥＮＤへ進む。Ｓ３では閉鎖かご決定手段８によって扉を閉鎖するかごが決定され、扉が閉鎖されているかご対２の識別情報を記憶する。上下それぞれ扉が閉鎖されるかご対２は等しい数とし、隣接しているかご対２は別の側のかごの扉が閉鎖されている。Ｓ４およびＳ５で乗場呼び登録手段６から乗場呼びの発せられた階数と、上方階または下方階へのサービス方向の情報の入力の有無の判定と登録を行う。この情報が無いときは割当制御手段９はＥＮＤに進む。
【００１８】
次にＳ６で乗場呼びの発せられた階数と、上方階または下方階へのサービス方向との情報から、登録乗場呼びが最下階であるか判定し、最下階であれば、Ｓ９へ進む。登録乗場呼びが最下階でなければ、続いて登録乗場呼びが最上階であるか判定し、最上階であれば、Ｓ１０へ進む。最上階でもなければ乗場呼びの方向がＤＮ方向であるのか判定し、ＤＮ方向であればＳ９へ進む。ＤＮ方向でなければ、Ｓ１０へ進む。
【００１９】
Ｓ９では上かご閉鎖かご対２ａをその登録乗場呼びに割り当てる。Ｓ１０では下かご閉鎖かご対２ｂをその登録乗場呼びに割り当てる。Ｓ１１、Ｓ１２では割当てたかご対が乗場呼びの有った乗場へ到着したのか監視する。到着すると乗場呼びをキャンセルする。
【００２０】
次に、この群管理制御装置を備えたエレベーターで移動する手順を説明する。この場合、１階からＮ階までをサービスするダブルデッキエレベーターであり、突き上げ階及び突き下げ階ともない構造になっている。
【００２１】
１階から乗場呼びを行うと、上かご閉鎖かご対２ａが１階に到着させられるので、２階から（Ｎ−１）階までかご対２ａに載って到着することができる。Ｎ階が目的階の場合は、（Ｎ−１）階でかご対２ａから降りて、その乗場で乗場呼び釦３のうち、ＵＰ乗場釦３ａを押すことで、下かご閉鎖かご対２ｂがサービスされるので、そのかご対２ｂでＮ階まで到着することができる。
【００２２】
２階から（Ｎ−１）階から目的階が１階からＮ階であるときは、１回の乗かごで到達することができる。
【００２３】
Ｎ階から乗場呼びを行うと、下かご閉鎖かご対２ｂがＮ階に到着させられるので、２階から（Ｎ−１）階までかご対２ｂに載って到着することができる。１階が目的階の場合は、２階でかご対２ｂから降りて、その乗場で乗場呼び釦３のうち、ＤＮ乗場釦３ｂを押すことで、上かご閉鎖かご対２ａがサービスされるので、そのかご対２ａで１階まで到着することができる。
【００２４】
この発明の実施の形態１に例示したエレベーターの群管理制御装置は、最下階から最上階と最上階から最下階へ直接移動する場合を除いて、最上階および最下階へ移動することができる。
【００２５】
また、上下方向とも同じタイミングでかご対をサービスすることができる。
【００２６】
また、上かご閉鎖かご対および下かご閉鎖かご対を約半分にすることにより、最下階から最上階または最上階から最下階へ隣接するかごに一度乗り換えることで移動可能である。
【００２７】
また、最下階からも乗かごして、最上階の一階下まではサービスでき、最上階からも乗かごして、最下階の１階上までサービスできる。
【００２８】
また、途中の階で乗り換えることによって、最下階または最上階へサービスすることができる。
【００２９】
なお、この実施の形態１ではかご対の閉鎖するかごは上下かごから半分づつを選択したが、図示しない計時手段などから時刻などを閉鎖かご決定手段に入力して、上下の片方の割合を多くしても良い。但し、少なくとも１台のかご対は他のかご対とは異なった側のかごを閉鎖しなければならない。
【００３０】
【発明の効果】
上述のように、この発明に係わるエレベーターの群管理制御装置は、かごを上下に連結し、一方のかごを閉鎖した複数のかご対が備えられたダブルデッキエレベーターを、シングル運転モードで運転するとき、エレベーターを管理制御するエレベーターの群管理制御装置において、少なくとも１台のかご対が他のかご対と異なった側のかごを閉鎖するよう各かご対の閉鎖かごを決定する閉鎖かご決定手段と、最下階および最上階からの乗場呼びを除いて、ＵＰ乗場呼びに対して下かご閉鎖かご対を、ＤＮ乗場呼びに対して上かご閉鎖かご対を割り当てる割当制御手段を備えているので、最下階および最上階を除いた階からの最下階や最上階へかご対をサービスすることができるという効果がある。
【図面の簡単な説明】
【図１】この発明の実施の形態１のエレベーターの群管理制御装置を備えたエレベーターの全体構成図である。
【図２】図１のエレベーターの群管理制御装置の機能図である。
【図３】図２の群管理制御のフローチャートである。
【符号の説明】
１  かご、２  かご対、２ａ  上かご閉鎖かご対、２ｂ  下かご閉鎖かご対、３  乗場釦、３ａ  ＵＰ乗場釦、３ｂ  ＤＮ乗場釦、４  運転モード切換スイッチ、５  群管理制御装置、６  乗場呼び登録手段、７  運転モード決定手段、８閉鎖かご決定手段、９  割当制御手段、１０  マイクロコンピュータ、１１  中央処理装置（ＣＰＵ）、１２  記憶装置、１３  変換装置。
【図１】
2004161428.tif 000003
【図２】
2004161428.tif 000004
【図３】
2004161428.tif 000005